(57)【特許請求の範囲】
【請求項１】
用紙に第１の画像を形成する第１の画像形成部において使用可能な、１以上の第１の色変換プロファイルに関する情報の一覧である第１のプロファイル情報一覧と、前記第１の画像形成部と直列に接続された、前記用紙に第２の画像を形成する第２の画像形成部において使用可能な、１以上の第２の色変換プロファイルに関する情報の一覧である第２のプロファイル情報一覧とを比較し、前記第１の色変換プロファイルに関する情報と前記第２の色変換プロファイルに関する情報の内容がもっとも近い、前記第１の色変換プロファイルと前記第２の色変換プロファイルの組み合わせを選択する比較処理部と、
前記比較処理部により選択された前記第１の色変換プロファイルを示す情報を前記第１の画像形成部に通知し、選択された前記第２の色変換プロファイルを示す情報を前記第２の画像形成部に通知する出力部と、を備える
情報処理装置。
【請求項２】
前記第１の色変換プロファイル及び前記第２の色変換プロファイルに関する情報は、色変換プロファイルの属性情報である
請求項１に記載の情報処理装置。
【請求項３】
前記色変換プロファイルの属性情報は、少なくとも該色変換プロファイルの作成日時、該色変換プロファイルの作成条件、及び該色変換プロファイルに基づき形成されたカラーパッチ画像の測色結果のうち１つを含む
請求項２に記載の情報処理装置。
【請求項４】
前記比較処理部は、前記第１の色変換プロファイルと前記第２の色変換プロファイルの組み合わせとして、双方の前記作成日時がもっとも近いものの中から直近のものを選択する
請求項３に記載の情報処理装置。
【請求項５】
前記比較処理部は、前記第１の色変換プロファイルと前記第２の色変換プロファイルの組み合わせとして、双方の前記作成条件がもっとも近いものを選択する
請求項３に記載の情報処理装置。
【請求項６】
前記比較処理部は、前記第１の色変換プロファイルと前記第２の色変換プロファイルの組み合わせとして、双方の色変換プロファイルに基づき形成された前記カラーパッチ画像の測色結果がもっとも近いものを選択する
請求項３に記載の情報処理装置。
【請求項７】
前記第１のプロファイル情報一覧と前記第２のプロファイル情報一覧とを記憶する記憶部、を更に備え、
前記比較処理部は、前記記憶部から前記第１のプロファイル情報一覧と前記第２のプロファイル情報一覧を読み出して比較する
請求項２乃至６のいずれかに記載の情報処理装置。
【請求項８】
前記比較処理部は、選択した前記第１の色変換プロファイルと前記第２の色変換プロファイルの組み合わせを示す情報を表示部に表示するよう制御する
請求項１乃至７のいずれかに記載の情報処理装置。
【請求項９】
用紙に第１の画像を形成する第１の画像形成部と、
前記第１の画像形成部と直列に接続された、前記用紙に第２の画像を形成する第２の画像形成部と、
前記第１の画像形成部において使用可能な、１以上の第１の色変換プロファイルに関す
る情報の一覧である第１のプロファイル情報一覧と、前記第２の画像形成部において使用可能な、１以上の第２の色変換プロファイルに関する情報の一覧である第２のプロファイル情報一覧とを比較し、前記第１の色変換プロファイルに関する情報と前記第２の色変換プロファイルに関する情報の内容がもっとも近い前記第１の色変換プロファイルと前記第２の色変換プロファイルの組み合わせを選択する比較処理部と、
前記比較処理部により選択された前記第１の色変換プロファイルを示す情報を前記第１の画像形成部に通知し、選択された前記第２の色変換プロファイルを示す情報を前記第２の画像形成部に通知する出力部と、を備える
画像形成システム。
【請求項１０】
用紙に第１の画像を形成する第１の画像形成部において使用可能な、１以上の第１の色変換プロファイルに関する情報の一覧である第１のプロファイル情報一覧と、前記第１の画像形成部と直列に接続された、前記用紙に第２の画像を形成する第２の画像形成部において使用可能な、１以上の第２の色変換プロファイルに関する情報の一覧である第２のプロファイル情報一覧とを比較する手順と、
前記第１の色変換プロファイルに関する情報と前記第２の色変換プロファイルに関する情報の内容がもっとも近い前記第１の色変換プロファイルと前記第２の色変換プロファイルの組み合わせを選択する手順と、
選択された前記第１の色変換プロファイルを示す情報を前記第１の画像形成部に通知し、選択された前記第２の色変換プロファイルを示す情報を前記第２の画像形成部に通知する手順と、
をコンピュータに実行させるためのプログラム。
【発明の詳細な説明】
【技術分野】
【０００１】
本発明は、情報処理装置、画像形成システム及びプログラムに関し、例えば直列接続された複数の画像形成装置で同じ色味の画像を形成する技術に係る。
【背景技術】
【０００２】
２台の画像形成装置を直列的に接続して構成されるタンデム方式の画像形成システム（以下、単に「画像形成システム」と記す）が知られている。この画像形成システムでは、上流側の画像形成装置により用紙の表面に画像を形成し、下流側の画像形成装置により用紙の裏面に画像を形成することができる。用紙の表面及び裏面に画像を形成する処理を、それぞれの画像形成装置で分担して行うことにより、１台の画像形成装置で用紙の両面に画像を形成する場合と比較して、生産性を向上させることができる（例えば、特許文献１を参照）。
【０００３】
タンデム方式の画像形成システムにおいては、上流側の画像形成装置と下流側の画像形成装置との装置間差による色味の差異が、用紙に形成された画像の品質に影響する課題がある。例えば見開きの左右ページでは、左右ページの画像の色味の違いがわかりやすい。以下、画像形成システムにより画像が形成された用紙を「印刷物」という。
【０００４】
特許文献１には、複数のデバイス（プリンタ）の色再現領域の情報から、複数のデバイスの共通色再現領域の情報を生成する、色再現情報の生成装置が開示されている。この特許文献１に開示された技術によれば、一つの共通色再現領域の情報（共通プロファイル）によって、入力された色データは複数のプリンタの全ての色再現領域が重なる共通色再現領域内にマッピングされる。そして、共通色再現領域内にマッピングされた色データは、プリンタ毎に持つデスティネーション側プロファイルによりデスティネーション側デバイス用の色データに変換される。
【先行技術文献】
【特許文献】
【０００５】
【特許文献１】特開２００４−４８８１５号公報
【発明の概要】
【発明が解決しようとする課題】
【０００６】
特許文献１に記載された発明において、共通色再現領域の情報を生成するために、複数のプリンタで使用できる色再現領域の情報を入力データとして共通色再現領域を算出する。この入力データについては、プリンタごとに色調整作業としてキャリブレーションパッチを印刷した後に測色し、算出する必要があり、プリンタ間の色味の差異を無くすためには頻繁に色調整作業を実施する必要がある。このような色調整作業を各プリンタで頻繁に実施すると、タンデム方式の画像形成システムの生産性が低下する。
【０００７】
上記の状況から、直列に接続された複数の画像形成装置の生産性を低下させることなく、複数の画像形成装置間の色味の差異をなくすことが要望されていた。
【課題を解決するための手段】
【０００８】
本発明の一態様の情報処理装置は、用紙に第１の画像を形成する第１の画像形成部において使用可能な、１以上の第１の色変換プロファイルに関する情報の一覧である第１のプロファイル情報一覧と、第１の画像形成部と直列に接続された、該用紙に第２の画像を形成する第２の画像形成部において使用可能な、１以上の第２の色変換プロファイルに関する情報の一覧である第２のプロファイル情報一覧とを比較する比較処理部を備える。この比較処理部は、第１の色変換プロファイルに関する情報と第２の色変換プロファイルに関する情報の内容がもっとも近い、第１の色変換プロファイルと第２の色変換プロファイルの組み合わせを選択する。また、比較処理部により選択された第１の色変換プロファイルを示す情報を第１の画像形成部に通知し、選択された第２の色変換プロファイルを示す情報を第２の画像形成部に通知する出力部と、を備える。
【０００９】
また、本発明の一態様の画像形成システムは、第１の画像形成部と、第２の画像形成部と、上記比較処理部と、上記出力部とを備える。
【発明の効果】
【００１０】
本発明の少なくとも一態様によれば、直列に接続された複数の画像形成部ごとに色調整を行う必要がなくなり、生産性を低下させることなく、複数の画像形成部間の色味の差異をなくすことができる。
上記した以外の課題、構成及び効果は、以下の実施形態の説明により明らかにされる。
【図面の簡単な説明】
【００１１】
【図１】本発明の第１の実施形態に係る直列接続された２つの画像形成装置を備える画像形成システムの一例を示す全体構成図である。
【図２】本発明の第１の実施形態に係る直列接続された２つの画像形成装置の概略構成例を示す模式図である。
【図３】本発明の第１の実施形態に係る直列接続された２つの画像形成装置の機能構成例を示すブロック図である。
【図４】本発明の第１の実施形態に係る親機及び子機のプリンタプロファイル情報一覧の一例を示す図である。
【図５】クライアント端末（ＰＣ）のハードウェア構成例を示すブロック図である。
【図６】本発明の第１の実施形態に係る直列接続された画像形成装置による色合わせ動作を示すシーケンス図である。
【図７】本発明の第１の実施形態に係る親機及び子機のプリンタプロファイルの組み合わせの一例を示す図である。
【図８】本発明の第２の実施形態に係る直列接続された２つの画像形成装置の内部構成例を示すブロック図である。
【図９】本発明の第２の実施形態に係るプリンタコントローラのハードウェア構成例を示すブロック図である。
【図１０】本発明の第２の実施形態に係るプリンタコントローラによる直列接続された画像形成装置の色合わせ動作を示すシーケンス図である。
【発明を実施するための形態】
【００１２】
以下、本発明を実施するための形態の例について、添付図面を参照しながら説明する。なお、各図において実質的に同一の機能又は構成を有する構成要素については、同一の符号を付して重複する説明を省略する。
【００１３】
＜１．第１の実施形態＞
［画像形成システムの全体構成］
図１は、第１の実施形態に係る直列接続された２つの画像形成装置を備える画像形成システムの一例を示す全体構成図である。
【００１４】
画像形成システム１は、２台の画像形成装置２，３を直列的に接続して構成されるタンデム方式の画像形成システムである。最初に用紙搬送方向の上流側に配置された画像形成装置２により用紙の表面に画像を形成し、次に画像形成装置３により該用紙の裏面に画像を形成する。本明細書では、最初に用紙に画像を形成する画像形成装置２を親機、次いで該用紙に画像を形成する画像形成装置３を子機とする。
【００１５】
大容量給紙トレイを備える給紙装置４から画像形成装置２へ用紙が供給され、画像形成装置２，３により順次画像が形成される。画像形成装置３から排出された用紙は、後処理装置５へ搬送された後、排紙トレイに排出される。後処理装置５は、ソート部、ステイプル部、パンチ部、折り部等の各種後処理部を有し、搬送された用紙に各種後処理を施す。
【００１６】
画像形成装置２には操作表示部１０が設けられているが、画像形成装置３にも操作表示部１０を設けてもよい。なお、画像形成システム１において、給紙装置４と後処理装置５は必須ではない。例えば画像形成装置２の内部に給紙トレイを設け、給紙トレイから用紙を供給するようにしてもよい。また、２台の画像形成装置２，３の間に、用紙の搬送路を有する中継装置が配置されてもよい。
【００１７】
画像形成装置２と画像形成装置３は、理想的には同じ若しくは極類似した色再現領域を持つもの（例えば同一機種）であるが、何らかの理由により色味に差異が生じることがある。本実施形態は、複数の画像形成装置（特にタンデム方式の画像形成システムに用いられるものが好適である）の色味の差異をなくす、若しくは減少させるものである。
【００１８】
［画像形成装置の概略構成］
図２は、第１の実施形態に係る直列接続された２つの画像形成装置２，３の概略構成例を示す模式図である。画像形成装置２，３は同様の構成であり、ここでは画像形成装置２について説明する。
画像形成装置２は、静電気を用いて画像の形成を行う電子写真方式を採用しており、例えばイエロー（Ｙ）、マゼンタ（Ｍ）、シアン（Ｃ）、ブラック（Ｋ）の４色のトナー画像を重ね合わせるタンデム形式のカラー画像形成装置である。この画像形成装置２は、搬送路２１と、画像形成部３０と、操作表示部１０とを備える。搬送路２１は、複数のローラ（搬送ローラ）が設けられており、給紙された用紙を下流側へ搬送する。
【００１９】
画像形成部３０（第１の画像形成部）は、イエロー、マゼンタ、シアン、ブラックの各色のトナー画像を形成するために、４つの画像形成ユニット３１Ｙ，３１Ｍ，３１Ｃ，３１Ｋを備えている。画像形成ユニット３１Ｙ，３１Ｍ，３１Ｃ，３１Ｋを区別しない場合には、画像形成ユニット３１と称することがある。各画像形成ユニット３１は、不図示の帯電部、ＬＥＤ書き込みユニット（レーザ光源）、現像部、感光体ドラムを有している。また、画像形成装置２は、画像形成ユニット３１Ｙ，３１Ｍ，３１Ｃ，３１Ｋの感光体ドラムに形成された画像が転写される中間転写ベルト３４、２次転写部３５、及び２次転写部３５の用紙搬送方向の下流側に定着部３６を備える。
【００２０】
定着部３６の用紙搬送方向の下流側で、搬送路２１が伸長して排出口に接続されている。また、搬送路２１には、定着部３６の下流側で分岐して、２次転写部３５の上流側の搬送路２１に合流する反転搬送路２３が接続されている。反転搬送路２３には、用紙を反転させる反転部２２が設けられている。反転部２２は、定着部３６から搬送された用紙を反転し、反転搬送路２３を通して２次転写部３５の上流側で搬送路２１に合流させる。また、反転部２２は、反転した用紙を定着部３６の下流側の搬送路２１に戻してそのまま排紙することもできる。
【００２１】
画像形成装置２の上部には、操作表示部１０が設置されている。操作表示部１０は、例えば画像形成処理等の印刷ジョブの開始を指示する操作部としての機能を備えている。操作表示部１０は、タッチパネル等からなる操作部１１と、液晶パネル等からなる表示部１２を有する。表示部１２は、ユーザーによる操作内容および設定情報等の表示が可能になっている。なお、操作部１１をマウスやタブレットなどで構成し、表示部１２とは別体で構成することも可能である。
【００２２】
画像形成装置２は、画像形成モードにおいて、各色の画像形成ユニット３１が備える感光体ドラムを帯電させると共に原稿画像に合わせて感光体ドラムの表面を露光し、感光体ドラムに静電潜像を形成する。そして、イエロー、マゼンタ、シアン、ブラックの各々に対応する感光体ドラムの静電潜像に対し現像部を用いてトナーを付着させ、各色のトナー画像を形成する。次に、イエロー、マゼンタ、シアン、ブラックの感光体ドラムに形成されたトナー画像を、回転駆動する中間転写ベルトの表面に順次、１次転写する。
【００２３】
次に、２次転写部３５（２次転写ローラ）により、中間転写ベルト３４上に１次転写された各色のトナー画像を、給紙装置４から供給された用紙に２次転写する。中間転写ベルト３４上の各色のトナー画像が用紙に２次転写されることにより、カラー画像が形成される。画像形成装置２は、カラーのトナー画像が形成された用紙を定着部３６へ排出する。
【００２４】
定着部３６は、画像形成装置２から供給される、カラーのトナー画像が形成された用紙に定着処理を行う装置である。定着部３６は、搬送された用紙を加圧及び加熱して、転写されたトナー画像を用紙に定着させる。定着部３６は、例えば、定着部材である定着上ローラ及び定着下ローラで構成されている。定着上ローラ及び定着下ローラは、互いに圧接した状態で配置されており、定着上ローラと定着下ローラとの圧接部として定着ニップ部が形成される。
【００２５】
定着上ローラの内部には、加熱部が設けられている。この加熱部からの輻射熱により定着上ローラの外周部にあるローラ部が温められる。用紙は、２次転写部３５によりトナー画像が転写された面（定着対象面）が定着上ローラと向き合うように定着ニップ部に搬送される。定着ニップ部を通過する用紙には、定着上ローラと定着下ローラとによる加圧と、定着上ローラのローラ部の熱による加熱が行われる。定着部３６により定着処理が行われた用紙は、反転部２２により用紙の裏表が反転された後、画像形成装置３に搬送される。
【００２６】
定着部３６の用紙搬送方向の下流側には、読取部３７が設けられている。読取部３７は、搬送路２１の上方に設けられており、搬送されてくる用紙の上面を読み取る。読取部３７には、例えば複数の光電変換素子を用紙搬送方向と垂直な方向（主走査方向）に沿って直線状に配列したラインセンサが用いられる。ラインセンサとしては、例えばＣＣＤ型のイメージセンサやＣＭＯＳ型（ＭＯＳ型を含む）のイメージセンサを利用できる。
【００２７】
また、画像形成装置２内には、温度計３８と湿度計３９が設けられている。温度計３８は機内の温度を計測し、湿度計３９は機内の湿度を計測し、それぞれ計測結果を制御部４０へ送信する。
【００２８】
画像形成装置３は、画像形成装置２から搬送された裏表が反転された用紙に画像形成部３０（第２の画像形成部）により画像を形成し、その用紙を搬送路２１により後処理装置５へ搬送する。後処理装置５は、搬送された用紙に後処理を施し、排紙トレイに排出する。
【００２９】
［画像形成装置の機能構成］
図３は、第１の実施形態に係る直列接続された２つの画像形成装置２，３の機能構成例を示すブロック図である。
図３に示すように、画像形成装置２，３、給紙装置４、及び後処理装置５は、ネットワークＮ１を介して相互に通信可能に接続している。ネットワークＮ１は、ＬＡＮ（Local Area Network）等の通信回線である。ネットワークＮ１は、広域ネットワークであるネットワークＮ２と接続している。ネットワークＮ２は、インターネット等の通信回線である。ネットワークＮ２に接続されたクライアント端末６は、例えばＰＣ（Personal Computer）であり、ネットワークＮ２、不図示のルーター、及びネットワークＮ１を介して、画像形成装置２，３と相互に通信可能に接続されている。画像形成装置２，３の内部構成（機能）はほぼ同様であり、以下では画像形成装置２を中心にその内部構成を説明する。
【００３０】
画像形成装置２は、制御部４０、主記憶装置４５、補助記憶装置４６及びネットワーク処理部４７を備え、バスを介して相互に通信可能に接続されている。また、制御部４０は、バス及び不図示のインターフェースを介して、操作表示部１０、及び画像形成部３０と接続している。また、制御部４０は、読取部３７、温度計３８、及び湿度計３９とバスを介して接続している。
【００３１】
制御部４０は、画像形成装置２の動作を統括的に制御するものであり、例えば、ユーザーからの指示に基づいて印刷ジョブ等を選択したり実行したりする。制御部４０には、例えばＣＰＵ（Central Processing Unit）が用いられる。または制御部４０として、ＭＰＵ（Micro-Processing Unit）が用いられてもよい。
【００３２】
主記憶装置４５は、ＲＯＭ（Read Only Memory）、ＲＡＭ（Random Access Memory）等のメモリであって、各処理に必要なプログラム、データを記憶する。
【００３３】
補助記憶装置４６は、制御部４０が印刷ジョブ等の選択や実行を行ったりするために必要なプログラムや入力データ等を記録する大容量の記憶装置である。例えば補助記憶装置４６には、ＨＤＤ（Hard Disk Drive）が用いられる。補助記憶装置４６には、後述する図７に示すような、色再現領域を示す１以上のプリンタプロファイルｐ１（第１の色変換プロファイル）が格納されている。図７の例では、画像形成装置２の画像形成部３０が使用可能なプリンタプロファイルｐ１として、５個のプリンタプロファイル（プリンタプロファイルｐ１−１〜ｐ１−５）が記憶されている。画像形成装置２又は画像形成装置３のうち少なくとも一方に、複数のプリンタプロファイルが登録されていれば、本発明を適用可能である。
【００３４】
プリンタプロファイルは、デスティネーションプロファイルとも呼ばれる。プリンタプロファイル（デスティネーションプロファイル）は、ソースプロファイルとともに、デバイスプロファイルを構成するものである。「デバイスプロファイル」は、機種独立な値（ＸＹＺ値やＬ＊ａ＊ｂ＊値等）に、機種に依存したデバイス値（ＣＭＹＫ値やＲＧＢ値等）を対応付けたものである。「ソースプロファイル」は、デバイス値から機種独立値へ変換するＬＵＴ（ルックアップテーブル）である。「プリンタプロファイル」は、機種独立値からデバイス値へ変換するＬＵＴである。色変換プロファイルは、ＬＵＴの代わりに、幾何学的モデルで色再現領域を表すデータ構造を用いてもよい。デバイス値は、特色に対するデバイス値であってもよい。
【００３５】
なお、第１の色変換プロファイルとして、プリンタプロファイルを用いて説明するが、第１の色変換プロファイルをデバイスリンクプロファイルに適用してもよい。「デバイスリンクプロファイル」は、上記２つのＬＵＴを一つにまとめたものであり、入力のデバイス値（例えばＹＭＣＫ値（Ｙ，Ｍ，Ｃ，Ｋ））と出力のデバイス値（例えばＹＭＣＫ値（Ｙ，Ｍ，Ｃ，Ｋ）´）を関連付けたＬＵＴである。
【００３６】
また、補助記憶装置４６には、図３に示すようにプリンタプロファイルｐ１に関する情報の一覧であるプリンタプロファイル情報一覧ａ１（図３ではプロファイル情報一覧と表記）が格納されている。プリンタプロファイルｐ１に関する情報は、プリンタプロファイルｐ１の属性情報である。プリンタプロファイルｐ１の属性情報の一例を図４に示している。
【００３７】
同様に、子機である画像形成装置３の補助記憶装置４６には、画像形成装置３の画像形成部３０が使用可能な１以上のプリンタプロファイルｐ２（第２の色変換プロファイル）が格納されている。図７の例では、プリンタプロファイルｐ２として、５個のプリンタプロファイル（プリンタプロファイルｐ２−１〜ｐ２−５）が記憶されている。
【００３８】
また、画像形成装置３の補助記憶装置４６には、図３に示すようにプリンタプロファイルｐ２に関する情報の一覧であるプリンタプロファイル情報一覧ａ２（図３ではプロファイル情報一覧と表記）が格納されている。プリンタプロファイルｐ２に関する情報は、プリンタプロファイルｐ２の属性情報である。プリンタプロファイルｐ２の属性情報の一例を図４に示している。
【００３９】
ネットワーク処理部４７（出力部の一例）は、給紙装置４や画像形成装置３等の他の装置との間でネットワークＮ１を介してデータ送受信の処理を行う。
【００４０】
（制御部の構成）
さらに制御部４０について説明する。制御部４０は、比較処理部４１、プロファイル設定部４２、色変換処理部４３、及びＲＩＰ処理部４４を備える。制御部４０の各部の機能は、制御部４０が補助記憶装置４６又は主記憶装置４５のＲＯＭから読み出したプログラムを実行することで実現される。制御部４０は、色合わせモードにおいて、画像形成システム１を構成する画像形成装置２，３の色合わせを行う。
【００４１】
比較処理部４１は、比較処理部４１は、まず画像形成装置２において使用可能な１以上のプリンタプロファイルｐ１のプリンタプロファイル情報一覧ａ１と、画像形成装置３において使用可能な１以上のプリンタプロファイルｐ２のプリンタプロファイル情報一覧ａ２とを比較する。そして、比較処理部４１は、比較結果を元に、プリンタプロファイルｐ１とプリンタプロファイルｐ２の組み合わせを選択する。組み合わせ選択の条件は、一例としてプリンタプロファイルｐ１に関する情報の内容と、プリンタプロファイルｐ２に関する情報の内容とが近いことである。この比較処理部４１において選択されたプリンタプロファイルｐ２を示す情報（いずれのプリンタプロファイルｐ２が選択されたかということ）は、ネットワーク処理部４７により画像形成装置３へ送信される。
【００４２】
［プリンタプロファイルに関する情報の一覧（プリンタプロファイル情報一覧）］
ここで、画像形成装置２，３のプリンタプロファイル情報一覧について説明する。
図４は、第１の実施形態に係る親機及び子機のプリンタプロファイル情報一覧の一例を示す図である。
【００４３】
親機（画像形成装置２）のプリンタプロファイル情報一覧ａ１及び子機（画像形成装置３）のプリンタプロファイル情報一覧ａ２はそれぞれ、フィールドとして「番号」、「作成日時」、「作成条件」、及び「パッチ出力結果」を有する。
【００４４】
「番号」はプリンタプロファイルの通し番号である。「作成日時」はプリンタプロファイルが作成された日時である。「作成条件」はプリンタプロファイルが作成されたときの条件であり、この例では画像形成装置２,３内部に設けた温度計３８の温度及び湿度計３９の湿度である。
【００４５】
さらに「パッチ出力結果」は、プリンタプロファイルに基づき同じカラーパッチデータから形成されたカラーパッチ画像を読取部３７で読み取って得られた読取りデータ（例えばＲＧＢ値などの測色結果）である。パッチ出力結果は、読取部３７で読み取った読取りデータそのものでもよいし、あるいは読取りデータの特徴を示す情報（例えば色味の特徴）、読取りデータから抽出した所定の特徴量でもよい。例えばパッチ出力結果として、読取りデータが、入力のカラーパッチデータからどの程度ずれているかを示す情報でもよい。この場合、親機の色味のずれの傾向と子機の色味のずれの傾向を比較し、その一致度をみる。あるいは、パッチ出力結果として、読取りデータのＲＧＢ値（もしくはＹＭＣＫ値）のすべてに着目してもよいし、特定の色に着目してもよい。また、パッチ出力結果のフィールドには、読取りデータや特徴量等のリンク先を示す情報（補助記憶装置４６の記憶領域）を登録してもよい。この場合、比較処理部４１は、リンク先からパッチ出力結果を読み出して比較処理を行う。
【００４６】
なお、図４に示したプリンタプロファイル情報一覧ａ１，ａ２は一例であって、少なくとも作成日時、作成条件、及び補助記憶装置４６に登録されたプリンタプロファイルに基づき形成されたカラーパッチ画像の測色結果のうち１つを含むものであればよい。勿論、図４に例示していない属性条件をプリンタプロファイル情報一覧に含めてもよい。
【００４７】
図３の説明に戻る。プロファイル設定部４２は、比較処理部４１で選択されたプリンタプロファイルｐ１を、画像形成装置２の画像形成部３０で使用するプリンタプロファイルに設定する。主記憶装置４５は、プロファイル設定部４２により設定されたプリンタプロファイルｐ１のデータを補助記憶装置４６から読み出して保持する。
【００４８】
色変換処理部４３は、プロファイル設定部４２で設定された（主記憶装置４５に保持された）プリンタプロファイルｐ１を用いて、受信した原稿画像データ（印刷ジョブの出力データ）の色変換を行う。例えば色変換処理部４３は、入力された原稿画像データに対し、まずソースプロファイルによる色変換（例えばＹＭＣＫ値→Ｌ＊ａ＊ｂ＊値）を行い、その後、プリンタプロファイルｐ１による色変換（例えばＬ＊ａ＊ｂ＊値→ＹＭＣＫ値）を行う。
【００４９】
ＲＩＰ処理部４４は、色変換処理部４３で色変換された原稿画像データに対しラスタライズ処理（ＲＩＰ：Raster Image Processor）を施して画像形成用データに変換し、画像形成部３０へ出力する。画像形成用データは、例えばタグビットプレーン、イエロー用のＹプレーン、マゼンタ用のＭプレーン、シアン用のＣプレーン、ブラック用のＫプレーンを含む。これらのタグビットプレーン、Ｙプレーン、Ｍプレーン、Ｃプレーン、Ｋプレーンは、印刷ジョブに含まれた出力設定とともに、対応する画像形成ユニット３１Ｙ，３１Ｍ，３１Ｃ，３１Ｋに出力される。
【００５０】
一方、画像形成装置３のプロファイル設定部４２では、画像形成装置２の比較処理部４１で選択されたプリンタプロファイルｐ２を、画像形成装置３の画像形成部３０で使用するプリンタプロファイルに設定する。そして、画像形成装置３の色変換処理部４３は、プリンタプロファイルｐ２を用いて原稿画像データの色変換を行い、ＲＩＰ処理部４４は、色変換後の原稿画像データにラスタライズ処理を行って画像形成部３０へ出力する。
【００５１】
なお、本実施形態は、プロファイル設定部４２で設定されたプリンタプロファイルｐ１（ｐ２）のデータを、補助記憶装置４６から主記憶装置４５に読み出す構成であるが、他の構成としてもよい。例えば主記憶装置４５に複数のプリンタプロファイルｐ１（ｐ２）を保持しておき、色変換処理部４３は、プロファイル設定部４２での設定に応じて該当するプリンタプロファイルｐ１（ｐ２）のデータを読み出して色変換を行う。
【００５２】
［クライアント端末（ＰＣ）のハードウェア構成］
図５は、クライアント端末６（ＰＣ）のハードウェア構成例を示すブロック図である。
【００５３】
ＰＣ６は、制御部５０、操作部５５、表示部５６より構成される。また、制御部５０は、ＣＰＵ５１、メモリ５２、ＨＤＤ５３、通信Ｉ／Ｆ（Interface）５４を備える。
【００５４】
ＣＰＵ５１は、制御部５０内の各部を制御しており、例えば、ユーザーからの指示に基づいて入力データを生成したり、出力設定を行ったりする。
メモリ５２は、ＲＯＭ、ＲＡＭ等であって、各処理に必要なプログラム、データを記憶する。
ＨＤＤ５３は、ＣＰＵ５１が入力データを生成したり、出力設定を行ったりするために必要なプログラムや入力データ等を記録する。
通信Ｉ／Ｆ５４は、画像形成装置２との間でネットワークＮ２を介してデータ送受信の処理を行う。
【００５５】
ＣＰＵ５１には、操作部５５、表示部５６が接続される。
操作部５５は、キーボードやマウス等によって構成される。ユーザーは、表示部５６に表示された画面を見ながら、操作部５５を操作して画像形成装置２に印刷指示や出力設定を行うことができる。
表示部５６は、ディスプレイモニター等によって構成されており、出力設定画面等を表示する。
操作部５５と表示部５６は別々に構成されるが、操作部５５と表示部５６は一体化したタッチパネルディスプレイとして構成されていてもよい。
【００５６】
［直列接続の画像形成装置による色合わせ動作］
次に、直列接続された画像形成装置２，３による色合わせ動作を説明する。
図６は、直列接続された画像形成装置２，３の色合わせ動作を示すシーケンス図である。画像形成装置２，３の制御部４０が補助記憶装置４６又は主記憶装置４５のＲＯＭから読み出したプログラムを実行することで実現される。
【００５７】
まず、画像形成装置２（親機）の制御部４０（図３）は、色合わせモードを検知したかどうかを判定する（Ｓ１）。ここで色合わせモードを検知した場合（Ｓ１のＹＥＳ）、制御部４０はステップＳ２に進み、色合わせモードを検知しなかった場合には（Ｓ１のＮＯ）、制御部４０はステップＳ１の判定処理を継続する。
【００５８】
次に、画像形成装置２の比較処理部４１は、プリンタプロファイル情報一覧ａ２を画像形成装置３（子機）に要求し（Ｓ２）、画像形成装置３の制御部４０は、要求を受けてプリンタプロファイル情報一覧ａ２を画像形成装置２へ送信する（Ｓ３）。
【００５９】
なお、色合わせモードへの移行は、ユーザーが不図示の設定画面から選択することで実施してもよいし、ユーザーが特別な操作をすることなく画像形成装置の電源を投入時に実施してもよい。また、子機から親機へのプリンタプロファイル情報一覧の送信は、色合わせモード時に限らず、プリンタプロファイルの登録時、あるいはジョブ受信時もしくはジョブ実行時などに実行されてもよい。
【００６０】
次に、画像形成装置２の比較処理部４１は、画像形成装置３からプリンタプロファイル情報一覧ａ２を受信すると、自装置の補助記憶装置４６に登録されているプリンタプロファイル情報一覧ａ１及びプリンタプロファイル情報一覧ａ２を、主記憶装置４５上で集約する（図４）（Ｓ４）。
【００６１】
次に、画像形成装置２の比較処理部４１は、画像形成装置２のプリンタプロファイル情報一覧ａ１と画像形成装置３のプリンタプロファイル情報一覧ａ２とを比較する（Ｓ５）。そして、比較処理部４１は、比較結果を元に、プリンタプロファイル情報一覧ａ１，ａ２の情報の内容が近い、プリンタプロファイルｐ１，ｐ２の組み合わせを選択する（Ｓ６）。
【００６２】
次に、画像形成装置２の比較処理部４１は、選択した画像形成装置３のプリンタプロファイルｐ２を示す情報を、ネットワーク処理部４７により画像形成装置３に通知する（Ｓ７）。
【００６３】
次に、画像形成装置２のプロファイル設定部４２は、選択した画像形成装置３のプリンタプロファイルｐ１を、画像形成装置２で使用するプリンタプロファイルに設定する（Ｓ８）。
【００６４】
一方、画像形成装置３のプロファイル設定部４２は、画像形成装置２から通知された画像形成装置３のプリンタプロファイルｐ２を、画像形成装置３で使用するプリンタプロファイルに設定する（Ｓ９）。
【００６５】
そしてステップＳ８及びＳ９の処理が完了後、図６の一連の色合わせ処理を終了する。
【００６６】
［プリンタプロファイルの組み合わせ］
図７は、第１の実施形態に係る親機及び子機のプリンタプロファイルの組み合わせの一例を示す図である。
図７の例は、図４のプリンタプロファイル情報一覧の例と対応しており、画像形成装置２（親機）のプリンタプロファイルｐ１としてプリンタプロファイルｐ１−１〜ｐ１−５が登録されている。また、画像形成装置３（子機）のプリンタプロファイルｐ２としてプリンタプロファイルｐ２−１〜ｐ２−５が登録されている。例えば組み合わせ選択の基準が、双方のプリンタプロファイルの作成日時がもっとも近い組み合わせのうち直近である場合には、プリンタプロファイルｐ１としてプリンタプロファイルｐ１−４が選択され、プリンタプロファイルｐ２としてプリンタプロファイルｐ２−５が選択される。
【００６７】
このように、作成日時の近いプリンタプロファイルｐ１，ｐ２の組み合わせを選択することにより、直列に接続された画像形成装置２，３の色再現領域をほぼ同じものとすることができる。それゆえ、画像形成装置２，３の色味の差異をなくす、若しくは小さくすることができる。
【００６８】
なお、図４のように作成日時がもっとも近い組み合わせが複数存在する場合には、もっとも直近の組み合わせを選択するとよい。このようにすることで、各画像形成装置２，３は、直近の画像形成装置２，３の状態や環境等が反映されたプリンタプロファイルを用いて、画像形成を行うことができる。他の組み合わせ選択の基準においても、基準を満たすプロファイルの組み合わせは直近であるほど望ましい。
【００６９】
また、組み合わせ選択の基準を、画像形成装置２，３の双方のプリンタプロファイルの作成条件がもっとも近い組み合わせとしてもよい。または、組み合わせ選択の基準を、パッチ出力結果（カラーパッチ画像の測色結果）がもっとも近い組み合わせとしてもよい。このように、作成条件又はパッチ出力結果を用いた場合でも、作成日時の場合と同様に、直列に接続された画像形成装置２，３の色再現領域をほぼ同じものとすることができる。
【００７０】
さらには、組み合わせ選択の基準として、上記の組み合わせ選択の基準を複数用いてもよい。複数の組み合わせ選択の基準を用いた場合には、プリンタプロファイルｐ１，ｐ２の色再現領域（言い換えると出力画像の色味）の一致度が上がる。
【００７１】
また、画像形成装置２の制御部４０は、親機のプリンタプロファイルと子機のプリンタプロファイルの組み合わせＣを、操作表示部１０又はクライアント端末６に表示するように制御してもよい。このようにすることで、ユーザーは親機のプリンタプロファイルｐ１と子機のプリンタプロファイルｐ２の組み合わせＣを確認できる。
【００７２】
あるいは、親機のプリンタプロファイルと子機のプリンタプロファイルの組み合わせＣに加えて、親機に登録されているプリンタプロファイルｐ１の一覧と子機に登録されているプリンタプロファイルｐ２の一覧を選択してもよい。このようにすることで、ユーザーは、複数あるプリンタプロファイルｐ１，ｐ２からどのような組み合わせが選択されたかを把握できる。
【００７３】
上述した第１の実施形態によれば、タンデム方式の画像形成システム１を構成する複数の画像形成装置２，３（画像形成部）ごとに色調整を行う必要がなくなり、生産性を低下させることなく、複数の画像形成装置２，３間の色味の差異をなくすことができる。
【００７４】
また、従来技術では、各画像形成装置への入力データは、共通色再現領域にマッピングされるが、本実施形態によれば、各画像形成装置２，３の色再現領域を有効に利用し、各画像形成装置２，３の色再現能力を最大限に発揮することができる。
【００７５】
＜２．第２の実施形態＞
第２の実施形態は、直列接続された画像形成装置と通信可能なプリンタコントローラを有し、プリンタコントローラが双方のプリンタプロファイル情報一覧を比較し、プリンタプロファイルの組み合わせを選択する例である。
【００７６】
［画像形成システムの全体構成、画像形成装置の概略構成］
図８は、本発明の第２の実施形態に係る画像形成システムの全体構成及び２つの画像形成装置の内部構成例を示すブロック図である。
図８に示すように、画像形成システム１Ａは、直列に接続された画像形成装置２，３、給紙装置４、後処理装置５に加えて、プリンタコントローラ７を備える。プリンタコントローラ７は、ネットワークＮ１を介して、画像形成装置２，３、給紙装置４、及び後処理装置５と通信可能に接続されている。画像形成装置２（親機）が受信した印刷ジョブを画像形成装置（子機）に転送する構成とした場合には、プリンタコントローラ７は、少なくとも画像形成装置２と通信可能であればよい。
【００７７】
図８の画像形成装置２，３の制御部４０Ａは、図３の制御部４０に対応するものであるが、比較処理部４１を備えていない。本実施形態では、比較処理部４１をプリンタコントローラ７に設けている。
【００７８】
［プリンタコントローラのハードウェア構成］
図９は、プリンタコントローラ７のハードウェア構成例を示すブロック図である。
プリンタコントローラ７は、制御部６０、ＨＤＤ６３、通信Ｉ／Ｆ６４、及びプリンタＩ／Ｆ６５を備える。制御部６０は、ＣＰＵ６１及びメモリ６２を備える。
【００７９】
制御部６０のＣＰＵ６１は、クライアント端末６から入力された原稿画像データの画像処理や画像形成装置２，３の制御を行う。
制御部６０のメモリ６２は、ＲＯＭ、ＲＡＭ等のメモリであり、各処理に必要なデータを一時的に記憶する。
ＨＤＤ６３は、ＣＰＵ６１が、画像処理や画像形成装置２，３の制御を行ったりするためのプログラム等を記録する。また、ＨＤＤ６３は、画像形成装置２，３の補助記憶装置４６から読み出したプリンタプロファイル情報一覧ａ１と、プリンタプロファイル情報一覧ａ２を格納する。
【００８０】
通信Ｉ／Ｆ６４（出力部の一例）は、ネットワークＮ２を介してクライアント端末（ＰＣ）６との間でデータ送受信の処理を行う。
プリンタＩ／Ｆ６５は、ネットワークＮ１を介して画像形成装置２との間でデータ送受信の処理を行う。
【００８１】
ＣＰＵ６１について更に説明する。ＣＰＵ６１は、比較処理部４１の機能を有する。ＣＰＵ６１の比較処理部４１の機能は、ＣＰＵ６１がＨＤＤ６３から読み出したプログラムを実行することで実現される。なお、プリンタコントローラ７のＣＰＵ６１が、色変換処理、ラスタライズ処理（ＲＩＰ処理）等を行い、ラスタライズ処理後の画像形成用データを画像形成装置２，３に送信するようにしてもよい。
【００８２】
［プリンタコントローラによる直列接続された画像形成装置の色合わせ動作］
図１０は、プリンタコントローラ７による直列接続された画像形成装置２，３の色合わせ動作を示すシーケンス図である。プリンタコントローラ７のＣＰＵ６１がＨＤＤ６３から読み出したプログラムを実行することで実現される。
【００８３】
まず、プリンタコントローラ７のＣＰＵ６１は、色合わせモードを検知したかどうかを判定する（Ｓ１１）。このステップＳ１１の判定処理は、図６のステップＳ１の判定処理に対応する。ここで色合わせモードを検知した場合（Ｓ１１のＹＥＳ）、ＣＰＵ６１はステップＳ１２に進み、色合わせモードを検知しなかった場合には（Ｓ１１のＮＯ）、制御部４０はステップＳ１１の判定処理を継続する。
【００８４】
次に、プリンタコントローラ７の比較処理部４１は、ＨＤＤ６３に格納されている画像形成装置２のプリンタプロファイル情報一覧ａ１及び画像形成装置３のプリンタプロファイル情報一覧ａ２を、メモリ６２に読み出す（Ｓ１２）。
【００８５】
なお、ステップＳ１２の処理は、予めプリンタコントローラ７のＨＤＤ６３に、プリンタプロファイル情報一覧ａ１，ａ２を格納していることを前提に説明したが、この例に限らない。例えば、プリンタコントローラ７が色合わせを行う際に随時、画像形成装置２，３からプリンタプロファイル情報一覧ａ１，ａ２を取得するようにしてもよい。
【００８６】
次に、プリンタコントローラ７の比較処理部４１は、プリンタプロファイル情報一覧ａ１とプリンタプロファイル情報一覧ａ２を比較し（Ｓ１３）、比較結果に基づいてプリンタプロファイルｐ１，ｐ２の組み合わせを選択する（Ｓ１４）。このステップＳ１３，Ｓ１４の処理は、図６のステップＳ５，Ｓ６の処理に対応する。
【００８７】
次に、プリンタコントローラ７の比較処理部４１は、選択した画像形成装置２（親機）のプリンタプロファイルｐ１を示す情報を、ネットワーク処理部４７により画像形成装置２に通知する（Ｓ１５）。同様に比較処理部４１は、選択した画像形成装置３（子機）のプリンタプロファイルｐ２を示す情報を、ネットワーク処理部４７により画像形成装置３に通知する（Ｓ１６）。
【００８８】
次に、画像形成装置２のプロファイル設定部４２は、プリンタコントローラ７から通知された画像形成装置２のプリンタプロファイルｐ１を、画像形成装置２で使用するプリンタプロファイルに設定する（Ｓ１７）。同様に画像形成装置３のプロファイル設定部４２は、プリンタコントローラ７から通知された画像形成装置３のプリンタプロファイルｐ２を、画像形成装置３で使用するプリンタプロファイルに設定する（Ｓ１８）。
【００８９】
そしてステップＳ１７及びＳ１８の処理が完了後、図１０の一連の色合わせ処理を終了する。
【００９０】
上述の第２の実施形態によれば、画像形成装置２と画像形成装置３の間でプリンタプロファイル情報一覧ａ１，ａ２をやり取りする処理が発生せず、プリンタコントローラ７において比較及び組み合わせ選択の処理が完結するため、色合わせ処理が簡素である。
【００９１】
＜３．その他＞
なお、上述した第１及び第２の実施形態では、画像形成装置２（親機）がプリンタプロファイルｐ１，ｐ２の組み合わせを選択したが、画像形成装置３（子機）がそれらの組み合わせを選択し、選択結果を画像形成装置２に通知するようにしてもよい。
【００９２】
また、上述した第１及び第２の実施形態では、２台の画像形成装置２，３のプリンタプロファイルｐ１，ｐ２の組み合わせを選択したが、直列に接続された３台以上の画像形成装置についてプリンタプロファイルの組み合わせを選択する構成としてもよい。
【００９３】
また、図２に示した温度計３８及び湿度計３９は、画像形成装置２，３の内部に設けられているが、画像形成装置２，３の外部に設けられていてもよい。
【００９４】
また。上述した画像形成システム１は、給紙装置４から一枚ずつ用紙を画像形成装置２，３へ給紙する形態に限らない。例えば本発明を、タンデム方式の画像形成システムとして、画像形成装置２，３へ連続紙（例えばロール紙）を供給し、画像形成装置２，３の各々が連続紙の表面に画像を形成するロール印刷装置に適用することも可能である。この場合、画像形成装置２，３によって連続紙の同一面に形成される画像の色味の差異が目立ちにくくなる。
【００９５】
さらに、本発明は上述した各実施形態例に限られるものではなく、特許請求の範囲に記載した本発明の要旨を逸脱しない限りにおいて、その他種々の応用例、変形例を取り得ることは勿論である。
【００９６】
例えば、上述した実施形態例は本発明を分かりやすく説明するために装置及びシステムの構成を詳細且つ具体的に説明したものであり、必ずしも説明した全ての構成を備えるものに限定されるものではない。また、ある実施形態例の構成の一部を他の実施形態例の構成に置き換えることは可能である。また、ある実施形態例の構成に他の実施形態例の構成を加えることも可能である。また、各実施形態例の構成の一部について、他の構成の追加、削除、置換をすることも可能である。
【００９７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、又はＩＣカード、ＳＤカード、ＤＶＤ等の記録媒体に置くことができる。
【００９８】
また、制御線や情報線は説明上必要と考えられるものを示しており、製品上必ずしも全ての制御線や情報線を示しているとは限らない。実際には殆ど全ての構成が相互に接続されていると考えてもよい。
【００９９】
また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【符号の説明】
【０１００】
１…画像形成システム、  ２，３…画像形成装置、  ４…給紙装置、  ５…後処理装置、  ６…クライアント端末（ＰＣ）、  ７…プリンタコントローラ、  １０…操作表示部、  ３０…画像形成部、  ３７…読取部、  ３８…温度計、  ３９…湿度計、  ４０，４０Ａ…制御部、  ４１…比較処理部、  ４２…プロファイル設定部、  ４３…色変換処理部、  ４４…ＲＩＰ処理部、  ４５…主記憶装置、  ４６…補助記憶装置、  ４７…ネットワーク処理部、  ６０…制御部、  ６１…ＣＰＵ、  ａ１，ａ２…プリンタプロファイル情報一覧、  ｐ１，ｐ２…プリンタプロファイル
【図１】
0006717072.tif 000002
【図２】
0006717072.tif 000003
【図３】
0006717072.tif 000004
【図４】
0006717072.tif 000005
【図５】
0006717072.tif 000006
【図６】
0006717072.tif 000007
【図７】
0006717072.tif 000008
【図８】
0006717072.tif 000009
【図９】
0006717072.tif 000010
【図１０】
0006717072.tif 000011